【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】    【請求項１】  複数の通信局間でデータ通信を行う通信システムであって、データを送信しようとする際に他の通信局に対して送信要求を行うための送信要求信号を送信する第１の通信局と、  上記第１の通信局から送信された上記送信要求信号を受信し、他の通信局に対して受信準備が完了した旨を周知させるための受信準備完了信号を送信する複数の第２の通信局とを備え、  上記第１の通信局は、データを受信させたい通信局として上記複数の第２ の通信局のそれぞれのアドレスが少なくとも記述された上記送信要求信号を送信するとともに、上記複数の第２の通信局のそれぞれから送信された複数の上記受信準備完了信号を受信することを特徴とする通信システム。    【請求項２】  他の通信局に対してデータを送信する通信装置であって、  データを送信しようとする際に他の通信局に対して送信要求を行うための送信要求信号であって、データを受信させたい通信局として複数の通信局のそれぞれのアドレスが少なくとも記述された送信要求信号を作成するデータ処理手段と、  上記送信要求信号を送信する通信手段と、を備えることを特徴とする通信装置。    【請求項３】  上記通信手段は、上記送信要求信号を受信した上記複数の通信局から送信された他の通信局に対して受信準備が完了した旨を周知させるための複数の受信準備完了信号を受信する、ことを特徴とする請求項２記載の通信装置。    【請求項４】  上記通信手段は、複数のアンテナ素子を備えて空間多重伝送を行い、  上記データ処理手段は、上記複数の通信局のそれぞれから送信された複数の上記受信準備完了信号に少なくとも記述された自己にとって既知である参照情報に基づいて、上記空間多重伝送の重みを学習する、ことを特徴とする請求項３記載の通信装置。    【請求項５】  上記データ処理手段は、上記複数の通信局のそれぞれから送信された複数の上記受信準備完了信号における上記参照情報に基づいて、上記複数の通信局が備えるアンテナ素子のそれぞれと、自己が備える上記複数のアンテナ素子との間の伝達関数を取得し、上記伝達関数に基づいて、上記空間多重伝送の重みを学習することを特徴とする請求項４記載の通信装置。    【請求項６】  上記通信手段は、上記複数の通信局のそれぞれから送信された上記受信準備完了信号を受信すると、上記複数のアンテナ素子を用いて、上記複数の通信局のそれぞれに対して空間分割多重によってデータを送信し、  データを受信した上記複数の通信局のそれぞれから送信された他の通信局に対して送信されたデータを正しく受信した旨を周知させるための複数の応答信号であって、自己にとって既知であり且つ当該複数の通信局に固有の第２の参照情報が少なくとも記述された応答信号を受信する、ことを特徴とする請求項４記載の通信装置。    【請求項７】  上記データ処理手段は、上記複数の通信局のそれぞれから送信された複数の上記応答信号における上記第２の参照情報に基づいて、直接上記空間多重伝送の重みを学習することを特徴とする請求項６記載の通信装置。    【請求項８】  上記データ処理手段は、所定の適応アルゴリズムを用いて、直接上記空間多重伝送の重みを学習する、ことを特徴とする請求項７記載の通信装置。    【請求項９】  上��適応アルゴリズムは、ＲＬＳアルゴリズムである、ことを特徴とする請求項８記載の通信装置。    【請求項１０】  上記通信手段は、上記複数の通信局のそれぞれから送信された当該通信局のアドレスが少なくとも記述された上記受信準備完了信号を受信する、ことを特徴とする請求項３記載の通信装置。    【請求項１１】  上記通信手段は、上記複数の通信局のそれぞれから時分割で送信された複数の上記受信準備完了信号を時分割で受信する、ことを特徴とする請求項３記載の通信装置。    【請求項１２】  上記受信準備完了信号は、上記送信要求信号にアドレスが記述されていない他の通信局が通信動作を控えるべき時間が少なくとも記述された第１の部分と、自己にとって既知である参照情報が少なくとも記述された第２の部分とに大別されたものであり、  上記通信手段は、上記複数の通信局のそれぞれから同時に送信された複数の上記第１の部分を同時に受信した後に、上記複数の通信局のそれぞれから時分割で送信された複数の上記第２の部分を時分割で受信する、ことを特徴とする請求項３記載の通信装置。    【請求項１３】  上記受信準備完了信号は、上記送信要求信号にアドレスが記述されていない他の通信局が通信動作を控えるべき時間が少なくとも記述された第１の部分と、自己にとって既知である参照情報が少なくとも記述された第２の部分とに大別されたものであり、  上記通信手段は、上記複数の通信局のそれぞれから同時に送信された複数の上記第１の部分を同時に受信した後に、上記複数の通信局のそれぞれから同時に送信された複数の上記第２の部分を同時に受信する、ことを特徴とする請求項３記載の通信装置。    【請求項１４】  他の通信局から送信されたデータを受信する通信装置であって、  送信元の通信局がデータを送信しようとする際に他の通信局に対して送信要求を行うための送信要求信号であって、データを受信させたい通信局として複数の通信局のそれぞれのアドレスが少なくとも記述された送信要求信号を受信する通信手段と、  上記送信元の通信局に対して受信準備が完了した旨を周知させるための受信準備完了信号を作成するデータ処理手段と、を備えることを特徴とする通信装置。    【請求項１５】  上記送信元の通信局は、複数のアンテナ素子を備えて空間多重伝送を行い、  上記データ処理手段は、上記送信元の通信局にとって既知であり且つ当該送信元の通信局によって上記空間多重伝送の重みを学習するために用いられる参照情報を少なくとも記述した上記受信準備完了信号を作成し、  上記通信手段は、上記受信準備完了信号を送信する、ことを特徴とする請求項１４記載の通信装置。    【請求項１６】  上記データ処理手段は、自己が備えるアンテナ素子と、上記送信元の通信局が備える上記複数のアンテナ素子との間の伝達関数が取得可能な上記参照情報を少なくとも記述した上記受信準備完了信号を作成する、ことを特徴とする請求項１５記載の通信装置。    【請求項１７】  上記データ処理手段は、上記送信元の通信局から上記複数のアンテナ素子を用いて空間分割多重によって送信されたデータを上記通信手段によって受信すると、他の通信局に対して送信されたデータを正しく受信した旨を周知させるための応答信号であって、上記送信元の通��局にとって既知であり且つ当該送信元の通信局によって直接上記空間多重伝送の重みを学習するために用いられる第２の参照情報を少なくとも記述した応答信号を作成し、  上記通信手段は、上記応答信号を送信する、ことを特徴とする請求項１５記載の通信装置。    【請求項１８】  上記データ処理手段は、自己のアドレスを少なくとも記述した上記受信準備完了信号を作成する、ことを特徴とする請求項１４記載の通信装置。    【請求項１９】  上記通信手段は、上記受信準備完了信号を時分割で送信する、ことを特徴とする請求項１４記載の通信装置。    【請求項２０】  上記データ処理手段は、上記受信準備完了信号を、上記送信元の通信局から送信された上記送信要求信号にアドレスが記述されていない他の通信局が通信動作を控えるべき時間を少なくとも記述した第１の部分と、上記送信元の通信局にとって既知であり且つ当該送信元の通信局によって上記空間多重伝送の重みを学習するために用いられる参照情報を少なくとも記述した第２の部分とに分割して作成し、  上記通信手段は、上記第１の部分を同時に送信した後に、上記第２の部分を時分割で送信する、ことを特徴とする請求項１４記載の通信装置。    【請求項２１】  上記データ処理手段は、上記受信準備完了信号を、上記送信元の通信局から送信された上記送信要求信号にアドレスが記述されていない他の通信局が通信動作を控えるべき時間を少なくとも記述した第１の部分と、上記送信元の通信局にとって既知であり且つ当該送信元の通信局によって上記空間多重伝送の重みを学習するために用いられる参照情報を少なくとも記述した第２の部分とに分割して作成し、  上記通信手段は、上記第１の部分を同時に送信した後に、上記第２ の部分を同時に送信する、ことを特徴とする請求項１４記載の通信装置。